(57)【要約】【課題】大気中の有害物質であるアセトアルデヒドを簡易な構成でパッシブ法で定量することを目的とする。【解決手段】スルーポア及びメソポアを備えた一体型多孔質体で構成された保持体を備え、前記保持体にアセトアルデヒド酸化還元酵素及びアセトアルデヒドの酵素反応により生じた物質と反応して発色する発色反応剤が保持されていると共に、前記スルーポア及び前記メソポアに水が保持されていることを特徴とするアセトアルデヒドセンサー。【選択図】  図２
2018087776.tif 000002
【特許請求の範囲】
【請求項１】
スルーポア及びメソポアを備えた一体型多孔質体で構成された保持体を備え、前記保持体にアセトアルデヒド酸化還元酵素及びアセトアルデヒドの酵素反応により生じた物質と反応して発色する発色反応剤が保持されていると共に、前記スルーポア及び前記メソポアに水が保持されていることを特徴とするアセトアルデヒドセンサー。
【請求項２】
前記保持体は、モノリス多孔質体又はガラス多孔質体を含むセラミック多孔質体であることを特徴とする請求項１に記載のアセトアルデヒドセンサー。
【請求項３】
前記保持体は、３００℃以上６００℃未満で焼成されて形成されたモノリス多孔質体又はアルカリ処理が施されたセラミック多孔質体であることを特徴とする請求項１に記載のアセトアルデヒドセンサー。
【請求項４】
前記保持体は、スルーポアの径が１μｍ〜１００μｍ、メソポアの径が０．００１μｍ〜０．０５μｍであることを特徴とする請求項１から３のうち何れか１項に記載のアセトアルデヒドセンサー。
【請求項５】
前記保持体の前記スルーポア及び前記メソポアの表面が親水性であることを特徴とする請求項１から４のうち何れか１項に記載のアセトアルデヒドセンサー。
【請求項６】
前記保持体に、親水性基が保持体のシラノールに結合されて導入される化学処理が施されていることを特徴とする請求項１から５のうち何れか１項に記載のアセトアルデヒドセンサー。
【請求項７】
前記保持体は、体積基準保水率８０％以上を、１０分以上維持することが出来る保持体であることを特徴とする請求項１から６のうち何れか１項に記載のアセトアルデヒドセンサー。
【請求項８】
前記保持体の上部のスルーポア及びメソポア内に酵素及び発色反応物質が濃縮されて保持されていることを特徴とする請求項１から７のうち何れか１項に記載のアセトアルデヒドセンサー。
【請求項９】
上部開口の凹部を備えたホルダーと請求項１から８の内いずれか１項に記載のアセトアルデヒドセンサーを備え、前記凹部に前記アセトアルデヒドセンサーが設置されていることを特徴とするパッシブ型アセトアルデヒドセンサー。
【請求項１０】
前記凹部を覆う蓋部を備え、ガスバリア性を備えることを特徴とする請求項９に記載のパッシブ型アセトアルデヒドセンサー。
【請求項１１】
前記凹部には、液溜め空間がアセトアルデヒドセンサーに隣接して設けられていることを特徴とする請求項９又は１０に記載のパッシブ型アセトアルデヒドセンサー。
【請求項１２】
スルーポア及びメソポアを備えた一体型多孔質体で構成された保持体に、アセトアルデヒド酸化還元酵素及びアセトアルデヒドの酵素反応により生じた物質と反応して発色する発色反応剤を付加して、前記スルーポア及び前記メソポア内に供給し、前記スルーポア及び前記メソポア内に水を保持させることを特徴とするアセトアルデヒドセンサーの製造方法。
【請求項１３】
前記保持体は、３００℃以上６００℃未満で焼成して形成したモノリス多孔質体又はアルカリ処理を施したセラミック多孔質体であることを特徴とする請求項１２に記載のアセトアルデヒドセンサーの製造方法。
【請求項１４】
前記保持体に親水性処理を施したことを特徴とする請求項１２又は１３に記載のアセトアルデヒドセンサーの製造方法。
【請求項１５】
酵素反応溶液及び発色反応溶液は、前記保持体の上面から供給して下面から過剰分を排出させて、保持体の上部のスルーポア及びメソポア内に酵素及び発色反応物質を濃縮させて保持させることを特徴とする請求項１２から１４のうち何れか１項に記載のアセトアルデヒドセンサーの製造方法。
【請求項１６】
アセトアルデヒドセンサーの使用の直前に、前記保持体に酵素反応溶液及び発色反応溶液を付加することを特徴とする請求項１２から１５のうち何れか１項に記載のアセトアルデヒドセンサーの製造方法。
【請求項１７】
アセトアルデヒドセンサーの使用の直前に、予め酵素反応溶液を付加している前記保持体に発色反応溶液を付加することを特徴とする請求項１２から１５のうち何れか１項に記載のアセトアルデヒドセンサーの製造方法。
【請求項１８】
スルーポア及びメソポアを備えた一体型多孔質体で構成された保持体を備え、前記保持体にアセトアルデヒド酸化還元酵素及びアセトアルデヒドの酵素反応により生じた物質と反応して発色する発色反応剤が保持されると共に、前記スルーポア及び前記メソポアに水が保持されていることを特徴とするアセトアルデヒドセンサーを大気中に暴露することを特徴とするアセトアルデヒドを検出する方法。
【発明の詳細な説明】
【技術分野】
【０００１】
本発明は、大気中の有害物質のアセトアルデヒドを多孔質の保持体に捕集し、保持体に保持されている酵素の反応により、微量な大気中有害物質のアセトアルデヒドを定量検出するセンサーに関する。
【背景技術】
【０００２】
大気中有害物質は、体内に直接取り込まれてしまうために、大気汚染防止法、悪臭防止法等で法的にも規制されている。特に微量でも人体への影響が大きいアルデヒド類は、シックハウス症候群の原因物質であり、室内濃度等が厳しく規制されている。そのため、それらの有害物質を除去する方法やパッシブ方法によるモニタリング方法並びにそれらの方法を実施する装置等も提案されて製品化されている。
【０００３】
大気中有害物質の浄化方法の技術としては、ジルコニウム、鉄、セリウムの酸化物又はそれらをシリカ、アルミナ、ゼオライト、酸化チタン、コージェライト、セピオライト又は活性炭の担体にコーティングした触媒を構成し、それらの触媒と空気を接触させることで、ホルムアルデヒド等の環境負荷物質を除去し常温浄化する方法（特許文献１）や、ホルムアルデヒド酸化還元酵素を活性炭で構成した担体表面に固定化したフィルターに空気を通すことで、ホルムアルデヒドを分解する方法（特許文献２）等、種々検討され実用化もされている。
【０００４】
しかし、それらの方法は大気中有害物質を分解除去出来ても、大気中にどのくらい存在するかを定量することは出来ない。従って、大気中有害物質の分解除去の効果を確かめるためには、別の方法で大気中有害物質を検出する必要性がある。
【０００５】
又、大気中有害物質のモニタリングの技術としては、アガロースやポリアクリルアミド等の水分吸湿性ゲルに酵素を固定化し、呼気エタノールによって流れる電流を検出するガス測定用バイオセンサー等酵素を用いたガスの検出方法が提案されている（特許文献３）。
【０００６】
又、室内のホルムアルデヒドを、湿潤環境下で、酵素分解による発色により検出、測定するパッシブ型放散フラックスサンプラーも提案されている（特許文献４、特許文献５、特許文献６）。これらのサンプラー、即ちセンサーは、酵素反応を利用した発色を用いてホルムアルデヒドを検出、測定しているが、アセトアルデヒドに対しては感度が乏しく、夾雑成分の影響も受け易い。又、これらのセンサーは、酵素を付加する基材に紙を使用している。このため、サンプラーに保水機構を備えていない場合、サンプリング時間の経過に伴い、サンプラーから水分が大気に気散し、酵素活動の低下による反応阻害を起こすことがある。そこで、サンプラーの基材に酵素活動のための水を供給するための、保水紙を備える保水機構を別途に有している。
【０００７】
又、複数の細孔を有する担体の細孔内に反応物質を固定し、色素と共にゲル体に保持させて構成したホルムアルデヒドのセンサーも知られている（特許文献７、特許文献８）。このセンサーは、担体のメソ孔に酵素を固定化したものであるため、メソ孔に保水させることが出来ず、大気をサンプリングすることを目的とした場合、メソ孔とは別の構成の保水機構を備えていないと、サンプリング時間の経過に伴い、サンプラーから水分が大気に気散し、酵素活動の低下による反応阻害を起こすことが考えられる。そこで、ゲル体に水を含有させている。
【０００８】
更に、ゾルーゲル反応を用いて作成し、６００℃〜１２００℃に焼成した多孔性シリカ連続体を複数の層に形成し、色素が反応する検出領域と水分保持領域を別途に設けたセンサーも提案されている（特許文献９、特許文献１０）。しかし、このセンサーは、ガスセンサーであり、ポンプで測定ガスを送り、酵素反応を利用して大気を検知する方法であり、簡易センサーを目的とした利用に関しては、ポンプ等の装置が必要であって構造が複雑であるため、適してはいない。又、６００℃〜１２００℃に焼成した多孔性シリカ連続体は、スルーポアの孔内に細孔であるメソポアは存在しないので、多孔性シリカ連続体以外に保水機構を備えていないと色素が充分に反応しない。そこで、多孔性シリカ連続体以外に水分保持領域を設けている。
【０００９】
又、ホルムアルデヒドが酵素反応を行う際には水が必要となるため、図１７に示すように、ろ紙等に酵素を付加した酵素センサー（ホルムアルデヒド検知試験紙）９２では、ろ紙の水分を保持するため保水紙等の保水材９１をセンサー構造体９０に組み込み酵素センサー（ホルムアルデヒド検知試験紙）９２の水分を維持していた（非特許文献１）。
【００１０】
又、特許文献９の技術を概念的に示した図１８に示すように、モノリス構造体９４を用いて、ホルムアルデヒドを含む検体ガスを通気して、ＬＥＤ光源９５等によりモノリス構造体９４に光を当ててホトセンサー９６により検出する方法もあるが、この場合でも、低濃度検出では、保水材９７をモノリス構造体９４の上流側に設置する構成（図１８（ａ））や、適宜モノリス構造体９４の上流側の水分保持領域９９に保水液を滴下する構成（図１８（ｂ））が採用されている。
【先行技術文献】
【特許文献】
【００１１】
【特許文献１】特許第３７９９９４５号公報
【特許文献２】特開２００１−３４０４３６号公報
【特許文献３】特許第２８３８４８４号公報
【特許文献４】特許第３８３９０３９号公報
【特許文献５】特許第４０８０５１２号公報
【特許文献６】特開２００６−１２６１３１号公報
【特許文献７】特許第５２８４８７１号公報
【特許文献８】特許第５３６６６５５号公報
【特許文献９】特開２０１４−６１３２号公報
【特許文献１０】特開２０１６−８８２０号公報
【非特許文献】
【００１２】
【非特許文献１】「比色型簡易ホルムアルデヒド放散量測定器（ＣＰＦＳ）の開発」  篠原直秀他、室内環境学会  ２００４  要旨集
【発明の概要】
【発明が解決しようとする課題】
【００１３】
上記のように、ホルムアルデヒドをターゲットとした簡易的なセンサーは種々提案されている。それに対して、アセトアルデヒドの分析は、ＤＮＰＨカートリッジ固相を用いてアクティブ濃縮分析が広く行われている。これは、アセトアルデヒドの室内濃度指針値は４８μｇ／ｍ３であり、公開されているホルムアルデヒドの室内濃度指針値は１００μｇ／ｍ３であるので、アセトアルデヒドの場合にはホルムアルデヒドに対して、半分以下の低濃度の検出が必要で、分析がし難くなるためである。
【００１４】
しかし、このＤＮＰＨカートリッジ固相を用いたアクティブ濃縮分析方法は、バックに採取した雰囲気ガスや大気等を直接ＤＮＰＨカートリッジへ流し、大気中のアセトアルデヒドを濃縮し、クロマト分析を行なう方法であり、装置的に大型で複雑であるので、アセトアルデヒドを簡易的にモニタリングする要求が高くなっている。
【００１５】
尚、従来技術の検出対象ガスは、水への溶解度が高いホルムアルデヒドガスであり、対象となる気体と保水材や水分保持領域などが接触して、水分を含んだホルムアルデヒドガスが酵素反応を起こし、ホルムアルデヒドを検出する構成になっている。しかし、後述するように、アセトアルデヒドは、ホルムアルデヒドに比べて、水への溶解度が低く、センサーや酵素との馴染みが悪くなるので、これらの方法は採用できなかった。
【００１６】
又、酵素反応を利用したホルムアルデヒドを検出する従来技術では、測定する前に、酵素を付加した基材以外の保水紙に水を添加して使用したり、通気上流側に水分保持領域を構成し、そこに水分を適宜滴下したり、検出体以外に予め水を添加した保水材を設置する等、センサー部分以外に保水構造部を別に持たせていた。そのため装置が複雑な構成となっていた。
【００１７】
更に、センサー部分の水分が揮発しないような種々な構成が検討がされているが、従来の装置や方法を用いる場合、一定時間放置して測定するパッシブ法では、ホルムアルデヒドの検出に影響を与えないように水分の揮発を抑えるには限界があり、逆に水分の供給が多過ぎると酵素が失活して酵素反応を利用することが出来ず、ホルムアルデヒドの検出が出来ないという問題点があった。
【００１８】
特に、引用文献９及び１０に記載のホルムアルデヒドセンサーにおいては、アクティブ法が用いられ、検知対象物質が上流側から下流側に強制的に送られるため、又、ホルムアルデヒドは水への溶解度が高いので、上流側に水が存在しても下流側にホルムアルデヒドが送られて反応領域で酵素と反応することが可能であった。しかし、パッシブ法では、検知対象物質が反応領域へ強制的には送られないので、センサーの反応領域の前でアセトアルデヒドが接触する部分に水が存在すると、ホルムアルデヒドに比べて水への溶解度が低いアセトアルデヒドはセンサーの反応領域に達することが出来ず、アセトアルデヒドの検出が出来ないという問題点が顕著であった。
【００１９】
尚、これまで報告されているホルムアルデヒドのガスの溶解度を表すヘンリー定数は３５００ｍｏｌ／Ｌ／ａｔｏｍ（１２℃）であるが、アセトアルデヒドは１１．５ｍｏｌ／Ｌ／ａｔｏｍ（１２℃）であり、アセトアルデヒドはホルムアルデヒドに比べて水に対する溶解度が大幅に低い（大気汚染学会誌Ｊ．Ｊａｐａｎ  Ｓｏｃ．Ａｉｒ  Ｐｏｌｌｕｔ．１８（６）４９１〜４９５（１９８３））。
【００２０】
従って、従来から行なわれているホルムアルデヒドの検知と異なり、センサー部分以外に保水体等の保水構造部を別に設ける又はセンサーの反応領域の上流に水分保持領域を別に設ける従来の技術では、センサー部分の外表面又はセンサーの反応領域の外縁に水が供給され、アセトアルデヒドがセンサー部分との接触面にある水分のためセンサー部分と十分馴染まず、微量のアセトアルデヒドを再現良く検知することが出来なかった。
【００２１】
そこで、本発明は、大気中の有害物質であるアセトアルデヒドを簡易的に定量することを目的の１つとする。又、大気中の有害物質であるアセトアルデヒドを簡易な構成でパッシブ法で定量することを目的の１つとする。又、センサー部分以外に保水構造部を別に持たず、又はセンサーの反応領域の上流に水分保持領域を持たず、アセトアルデヒドを簡易な構成でパッシブ法で定量することを目的の１つとする。又、大気とセンサー部分との接触面が大気を十分に捕集することが可能な大きな表面積を持ち、定量性ある簡易なセンサーを提供することを目的の１つとする。
【課題を解決するための手段】
【００２２】
以上のような課題を解決するための手段としての本発明は、スルーポア及びメソポアを備えた一体型多孔質体で構成された保持体を備え、前記保持体にアセトアルデヒド酸化還元酵素及びアセトアルデヒドの酵素反応により生じた物質と反応して発色する発色反応剤が保持されていると共に、前記スルーポア及び前記メソポアに水が保持されていることを特徴とするアセトアルデヒドセンサーである。
【００２３】
又、スルーポア及びメソポアを備えた一体型多孔質体で構成された保持体を備え、前記保持体の表面にアセトアルデヒド酸化還元酵素及びアセトアルデヒドと前記アセトアルデヒド酸化還元酵素との反応により生じた物質と反応して発色する発色反応剤が保持されていると共に、前記スルーポア及び前記メソポアに水が保持されていることを特徴とするアセトアルデヒドセンサーである。
【００２４】
又、上記アセトアルデヒドセンサーであって、前記保持体は、モノリス多孔質体又はガラス多孔質体を含むセラミック多孔質体であることを特徴とするアセトアルデヒドセンサーである。
【００２５】
又、上記アセトアルデヒドセンサーであって、前記保持体は、３００℃以上６００℃未満で焼成されて形成されたモノリス多孔質体又はアルカリ処理が施されたセラミック多孔質体であることを特徴とするアセトアルデヒドセンサーである。
【００２６】
又、上記アセトアルデヒドセンサーであって、前記保持体は、スルーポアの径が１μｍ〜１００μｍ、メソポアの径が０．００１μｍ〜０．０５μｍであることを特徴とするアセトアルデヒドセンサーである。
【００２７】
又、上記アセトアルデヒドセンサーであって、前記保持体の前記スルーポア及び前記メソポアの表面が親水性であることを特徴とするアセトアルデヒドセンサーである。
【００２８】
又、上記アセトアルデヒドセンサーであって、前記保持体に、親水性基が保持体のシラノールに結合されて導入される化学処理が施されていることを特徴とするアセトアルデヒドセンサーである。
【００２９】
又、上記アセトアルデヒドセンサーであって、前記保持体は、体積基準保水率８０％以上を、１０分以上維持することが出来る保持体であることを特徴とするアセトアルデヒドセンサーである。
【００３０】
又、上記アセトアルデヒドセンサーであって、前記保持体の上部のスルーポア及びメソポア内に酵素及び発色反応物質が濃縮されて保持されていることを特徴とするアセトアルデヒドセンサーである。
【００３１】
又、上部開口の凹部を備えたホルダーと上記いずれかに記載のアセトアルデヒドセンサーを備え、前記凹部に前記アセトアルデヒドセンサーが設置されていることを特徴とするパッシブ型アセトアルデヒドセンサーである。
【００３２】
又、上記パッシブ型アセトアルデヒドセンサーであって、前記凹部を覆う蓋部を備え、ガスバリア性を備えることを特徴とするパッシブ型アセトアルデヒドセンサーである。
【００３３】
又、上記パッシブ型アセトアルデヒドセンサーであって、前記凹部には、液溜め空間がアセトアルデヒドセンサーに隣接して設けられていることを特徴とするパッシブ型アセトアルデヒドセンサーである。
【００３４】
又、スルーポア及びメソポアを備えた一体型多孔質体で構成された保持体に、アセトアルデヒド酸化還元酵素及びアセトアルデヒドの酵素反応により生じた物質と反応して発色する発色反応剤を付加して、前記スルーポア及び前記メソポア内に供給し、前記スルーポア及び前記メソポア内に水を保持させることを特徴とするアセトアルデヒドセンサーの製造方法である。
【００３５】
又、上記アセトアルデヒドセンサーの製造方法であって、前記保持体は、３００℃以上６００℃未満で焼成して形成したモノリス多孔質体又はアルカリ処理を施したセラミック多孔質体であることを特徴とするアセトアルデヒドセンサーの製造方法である。
【００３６】
又、上記アセトアルデヒドセンサーの製造方法であって、前記保持体に親水性処理を施したことを特徴とするアセトアルデヒドセンサーの製造方法である。
【００３７】
又、上記アセトアルデヒドセンサーの製造方法であって、酵素反応溶液及び発色反応溶液は、前記保持体の上面から供給して下面から過剰分を排出させて、保持体の上部のスルーポア及びメソポア内に酵素及び発色反応物質を濃縮させて保持させることを特徴とするアセトアルデヒドセンサーの製造方法である。
【００３８】
又、上記アセトアルデヒドセンサーの製造方法であって、アセトアルデヒドセンサーの使用の直前に、前記保持体に酵素反応溶液及び発色反応溶液を付加することを特徴とするアセトアルデヒドセンサーの製造方法である。
【００３９】
又、上記アセトアルデヒドセンサーの製造方法であって、アセトアルデヒドセンサーの使用の直前に、予め酵素反応溶液を付加している前記保持体に発色反応溶液を付加することを特徴とするアセトアルデヒドセンサーの製造方法である。
【００４０】
又、スルーポア及びメソポアを備えた一体型多孔質体で構成された保持体を備え、前記保持体にアセトアルデヒド酸化還元酵素及びアセトアルデヒドの酵素反応により生じた物質と反応して発色する発色反応剤が保持されると共に、前記スルーポア及び前記メソポアに水が保持されていることを特徴とするアセトアルデヒドセンサーを大気中に暴露することを特徴とするアセトアルデヒドを検出する方法である。
【発明の効果】
【００４１】
以上のような本発明によれば、大気中の有害物質であるアセトアルデヒドを簡易的に定量することが可能となった。又、大気中の有害物質であるアセトアルデヒドを簡易な構成でパッシブ法で定量することが可能となった。又、センサー部分以外に保水構造部を別に持たず、又はセンサーの反応領域の上流に水分保持領域を持たず、アセトアルデヒドを簡易な構成でパッシブ法で定量することが可能となった。又、センサーの外表面に水が存在せず、アセトアルデヒドとセンサー部分との接触面に水分が存在しないため、アセトアルデヒドがセンサー部分と十分馴染み、微量のアセトアルデヒドを再現良く検知することが出来、大気とセンサー部分との接触面が大気を十分に捕集することが可能な大きな表面積を持ち、定量性ある簡易なセンサーを提供することが可能となった。
【図面の簡単な説明】
【００４２】
【図１】アセトアルデヒドの反応形態を示す図
【図２】本発明パッシブ型アセトアルデヒドセンサー一実施例概念図
【図３】本発明パッシブ型アセトアルデヒドセンサー一実施例概念図
【図４】本発明パッシブ型アセトアルデヒドセンサー一実施例概念図
【図５】アセトアルデヒドセンサーの発色時とブランクの写真
【図６】センサー放置時間に対する水分量変化を示すグラフ図
【図７】本発明パッシブ型アセトアルデヒドセンサーの発色の変化を示す写真
【図８】本発明パッシブ型アセトアルデヒドセンサーの発色の変化を示す写真
【図９】本発明パッシブ型アセトアルデヒドセンサーの発色の変化を示す写真
【図１０】本発明パッシブ型アセトアルデヒドセンサーの発色の変化を示す写真
【図１１】本発明パッシブ型アセトアルデヒドセンサーの発色の変化を示す写真
【図１２】本発明パッシブ型アセトアルデヒドセンサー一実施例概念図
【図１３】本発明パッシブ型アセトアルデヒドセンサーの発色の変化を示す写真
【図１４】保管による発色強度の経時変化を示すグラフ図
【図１５】本発明パッシブ型アセトアルデヒドセンサー一実施例概念図
【図１６】アセトアルデヒドセンサーの発色の変化を示す写真
【図１７】従来の酵素センサーの概念図
【図１８】従来の酵素センサーの概念図
【発明を実施するための形態】
【００４３】
以下本発明の実施の形態を図を参照して説明する。本発明は、スルーポア及びメソポアを備えた一体型多孔質体で構成された保持体にアセトアルデヒド酸化還元酵素及びアセトアルデヒドの酵素反応、即ちアセトアルデヒドとアセトアルデヒド酸化還元酵素との酵素反応により生じた物質と反応して発色する発色反応剤が保持されていると共に、前記スルーポア及び前記メソポアに水が保持されていることを特徴とするアセトアルデヒドセンサーである。
【００４４】
大気中の微量なアセトアルデヒドの検出は、アセトアルデヒド脱水素酵素やアセトアルデヒド酸化酵素等のアセトアルデヒド酸化還元酵素（以下、単に「酵素」という。）を用いた触媒反応を利用し、アセトアルデヒドを酸化させる酵素反応を利用し、ＮＡＤ又はＮＡＤＰを電子受容体としてアセトアルデヒドを検出する方法により実現することが出来る。尚、酵素としてはアルデヒドデヒドロゲナーゼ （ＮＡＤ＋）、アルデヒドデヒドロゲナーゼ （ＮＡＤＨ＋）、アルデヒドデヒドロゲナーゼ（ＮＡＤ（Ｐ）＋）、アルデヒド脱水素酵素スーパーファミリー、アセトアルデヒド脱水素酵素等を用いることが出来る。
【００４５】
アセトアルデヒド脱水素酵素の反応形態を図１に示す。アセトアルデヒドを酵素、例えばアセトアルデヒド脱水素酵素（ＡＬＤＨ）により、酢酸に変化させる。その結果、溶液中に含まれるニコチンアミドアデニンジヌクレチド酸化型（ＮＡＤ＋）がニコチンアミドアデニンジヌクレオチド還元型（ＮＡＤＨ）に変化する。この際２６０ｎｍの紫外吸収に加えて、３４０ｎｍの紫外吸収を有するようになる。この３４０ｎｍ吸収をモニターすることで、アセトアルデヒドの検知を行なうことが出来る。
【００４６】
大気中のアセトアルデヒドを簡易に検知し定量するためには、アセトアルデヒドの存在を可視化する必要があるため、アセトアルデヒドの酵素反応の２次反応を利用する。詳しくは、アセトアルデヒドとアセトアルデヒド酸化還元酵素との酵素反応により生じる物質ＮＡＤＨ、言い換えれば酵素によってＮＡＤ＋から変換されたＮＡＤＨは、ジアホラーゼの触媒反応によりテトラゾリウム塩を還元し、ホルマザン色素を形成して発色することにより、アセトアルデヒドを可視化することが出来、アセトアルデヒドを検知、定量することが出来る。
【００４７】
又、大気中の微量なアセトアルデヒドの検知及び定量には、一定時間静置して捕集するパッシブ法が簡単で使用し易いので、好ましい。そして、パッシブ法において、大気中の微量なアセトアルデヒドを検知し定量するためには、アセトアルデヒドを捕集しかつ酵素反応及び発色反応により発色させて定量することが好ましい。従って、アセトアルデヒドを保持して酵素反応及び発色反応をさせる場を提供する基材、即ち保持体の構成が重要であり、又、検知方法の検討が必要である。
【００４８】
このような保持体としては、活性炭、水分湿潤ゲル、紙製のフィルター、シリカゲル粒子、一体型多孔質体等が考えられる。そして、一体型多孔質体としては、モノリス多孔質体、ガラス多孔質体、セラミック多孔質体がある。
【００４９】
しかし、活性炭は、パッシブ法で有機成分を捕集するためには保持体に大きな表面積が必要であるので除去には適しているが、活性炭自身の活性が強いのでアセトアルデヒドを検出させる反応の場としては適していない。又、水分湿潤ゲルはやわらくそれ自体で固体に出来ないので、簡易モニタリング用としては適していない。又、パッシブ型サンプラーに用いられる紙製のフィルターは、表面積が小さく検出には適していない。又、触媒の担体として用いられるシリカゲル粒子は、表面積が大きく活性炭に比べて活性が無いので、アセトアルデヒドを検出させる反応の場としては適している。しかし、粒子や粒子を固めたフィルター等では、空気が通る部分が小さくパッシブ用担体としては大気との接触面積が小さいので適していない。
【００５０】
そこで、保持体としては、静置パッシブ法においても、大気中の微量アセトアルデヒドを水分の影響無しにその表面に保持することが出来、かつ、酵素反応が生じるだけの水分をその内部に蓄えることが出来る保持体を用いることが好ましい。このような保持体としては、骨格が３次元的に繋がっており、保持体の内部にアセトアルデヒドを含んだ大気を拡散させることが出来、かつ反応を推進する水分を含ませ、蓄えることが出来るスルーポア及びメソポアを持ち、センサーとして簡単に設置出来る脆くなく剛性のある多孔質体が適している。
【００５１】
このように酵素反応には水分が必要であり、更に、発色反応は、水分を用いて行われる酵素反応を用いた二次反応であるので、発色反応をするためには水分が必要である。
【００５２】
そして、酵素反応及び発色反応が行われるためには、例えば体積１３μＬの多孔質体に対して、１０μＬ以上即ち１０ｍｇ以上の水分がある必要がある。又、発色具合は、１０分程度で安定化するので、アセトアルデヒドを簡易測定するためには、最低１０分間は、保持体に発色反応をすることが出来る水分量を保持する必要がある。即ち、保持体は、体積基準保水率８０％以上を、発色反応を確認出来る１０分以上維持することが出来る保持体であることが要求される。
【００５３】
このような保持体としては、具体的には、スルーポア及びメソポアを備えた一体型多孔質体である、モノリス多孔質体、ガラス多孔質体、セラミック多孔質体が適している。これらの一体型多孔質体は、大気中のアセトアルデヒドを保持して定量し可視化することが出来るセンサーを構成することが出来る。又、保持体のスルーポア及びメソポア内に水分を溜めることで、酵素反応及び発色反応に必要な水分を蓄えて、反応時に供給している。
【００５４】
モノリス多孔質体とは、三次元網目構造の連続し且つ相互に連通する貫通孔である、スルーポアを有した、単一の構造物である多孔質体である。モノリス多孔質体としては、貫通孔が連続的かつ規則正しく三次元網目構造を形成しているものが好ましいが、これに限定されない。貫通孔（スルーポア）は相互に連通し、モノリス多孔質体の上端から下端まで貫通した構造である。尚、貫通孔はモノリス多孔質体の軸と直行する方向の断面が円形又はそれに近いものが好ましい。又、貫通孔（スルーポア）内に貫通孔より小径であって貫通孔間に連通する又は連通しない細孔である、メソポアを有する構造とすることも出来る。ガラス多孔質体及びセラミック多孔質体も原料及び製造方法が異なるが、モノリス多孔質体と同様の構造を有する多孔質体である。
【００５５】
モノリス多孔質体の合成方法は、ゾルーゲル法等の一般的に知られている方法を用いることが出来る。具体的には、ゾルーゲル法で作成する場合、テトラエトキシシランを、ポリエチレングリコールポリマー（ＰＥＯ）を含む酸性水溶液中で高分子化しゾル溶液を得る。そのゾル溶液を、円筒状、例えば内径８ｍｍ、長さ５０ｃｍのポリカーネートパイプに注ぎ密栓をして２０時間インキュベーションする。円柱状のモノリスゾル体、例えば外径５ｍｍ、長さ４０ｃｍのモノリスゾル体を得ることが出来る。アンモニア水溶液に、ゲル内溶液を完全に置換した後、インキュベーションしメソポアを作成し、メタノールで洗浄しモノリス多孔質体を得る。その後、例えば厚み１ｍｍ〜２ｍｍに切断し、本発明の保持体として用いることが出来る。
【００５６】
ＰＥＯ濃度を、１％〜２０％に変化させることで、モノリス多孔質体のスルーポアの径を０．１μｍ〜２００μｍまで変化させることが出来る。しかし、スルーポアの径が１μｍ未満では、大気がモノリス多孔質体の骨格内に入り込まないので本発明には適していなく、又、スルーポアの径が１００μｍより大きいと多孔質体が軟らかくなり本発明の保持体としては適さないので、モノリス多孔質体のスルーポアの径は１μｍ〜１００μｍが適している。
【００５７】
アンモニア水溶液の濃度を、０．０１％〜１％に変化させることで、モノリス多孔質体のメソポアの径を０．０００１μｍ〜０．２μｍまで変化させることが出来る。メソポアの径０．００１μｍ未満では、水分が保持出来ず本発明には利用出来ず、メソポアの径０．０５μｍより大きくては、非常に脆く、従来の水分吸湿性ゲルと同じになってしまい、基板上に貼りつける等の工夫が必要となる等、簡易センサーを構成することは出来ないので、モノリス多孔質体のメソポアの径は０．００１μｍ〜０．０５μｍが適している。
【００５８】
従って、本発明用の保持体としては、気体が入り込むと共に試料成分及び水分を保持するスルーポアの径が１μｍ〜１００μｍ、水分を保持するメソポアの径が０．００１μｍ〜０．０５μｍである一体型多孔質体が適している。
【００５９】
多孔質の保持体内部に酵素反応溶液や発色反応溶液等の反応溶液を添加すると、反応試薬である酵素及び発色試薬の殆どは保持体の表面近くに保持され、水は、まずは入り込み易いスルーポアの空間に入り、次に、メソポア内に入る。逆に、放置すると比較的大きいスルーポアの空間における水分から減少し、メソポア内の水分は、長時間保持される。スルーポアやメソポアの表面が親水性でなければ、水を弾いてしまい、スルーポアやメソポアの空間に水を保持することは困難となり、更に、反応溶液を添加した瞬間は反応溶液がスルーポアやメソポアの空間を満たしたとしても、反応溶液はすぐに弾かれ、保持されずに、反応溶液はすぐに減っていく。従って、スルーポア及びメソポアの表面は親水性であることが好ましい。
【００６０】
ゾルーゲル法で作成するモノリス多孔質体では、焼成温度を調整することで親水性にすることが出来る。又、無機ガラスの溶融分相等から作成されるガラス多孔質体等のセラミック多孔質体では、アルカリ処理等の表面処理を行うことで親水性にすることが出来る。更に、モノリス多孔質体及びセラミック多孔質体は、親水性基をシラノールに結合させて導入する化学処理を施して親水性処理をすることが出来る。そして、親水性を備える多孔質体に保持される最大水分量は、スルーポアの空間とメソポアの空間の体積の合計になる。
【００６１】
モノリス多孔質体は、酵素反応に必要な時間内、酵素反応に必要な水分をスルーポア及びメソポア内に蓄えることが出来、かつ骨格の中又は／及び表面に十分なシラノールを有して、アセトアルデヒドを保持することが出来るように作成される。そして、モノリス多孔質体は、前述のようにゾル−ゲル法で作成することが出来るが、焼成温度を調整することで、親水性以外にアセトアルデヒドを保持することが出来る所定のモノリス多孔質体とすることが出来る。
【００６２】
即ち、モノリス多孔質体はテトラメトキシシラン等の金属アルコキシドやトリメトキシシラン等の反応性有機モノマー等を単独、又は、混合して用いて、部分的に加水分解して、重縮合してコロイド状オリゴマーを作り（ゾルの生成）、更に加水分解して重合と架橋を促進させ、三次元構造網目を作ることで合成される（ゲルの生成）。そして、最後に焼成して、完全にゲル化して固めるが、焼成温度が３００℃以上あれば、ゲル化は完了する。ゲル化が完了していれば、融着等の熱でも変性することが無く、センサー構造体への固定は簡単になる。
【００６３】
保持体にアセトアルデヒドを保持させるためには、シラノールをモノリス多孔質体の外表面及び内表面に持たすことが好ましい。特に、保持体外表面のうちの上面、内表面のうちのスルーポア開口部分に持たすことが好ましい。そして、ゾルーゲル法でモノリス多孔質体を形成する場合の焼成工程において、アセトアルデヒドを保持させるためのシラノールをモノリス多孔質体の外表面及び内表面に持たすためには、焼成温度を８００℃未満とすることが好ましい。８００℃以上で焼成すると、シラノールがシロキサンになってしまうからであり、その結果、活性が無くなりアセトアルデヒドを保持出来なくなるからである。
【００６４】
又、保持体の内部に水を保持させるためには、シラノールをモノリス多孔質体の内表面のうちのスルーポア開口部分に持たすことが好ましい。更には、シラノールをモノリス多孔質体の外表面に持たすことが好ましい。そして、ゾルーゲル法でモノリス多孔質体を形成する場合の焼成工程において、水分を保持させるためのシラノールをモノリス多孔質体の外表面及び内表面に持たすためには、上記の理由から焼成温度を８００℃未満とすることが好ましい。更には、焼成温度を６００℃未満とすることが好ましい。焼成温度を６００℃以上とすると、モノリス多孔質体に親水性メソポアが形成され難くなるからである。従って、モノリス多孔質体は、３００℃以上、６００℃未満で焼成したゾルーゲル法で作成したモノリス多孔質体が好適である。
【００６５】
ガラス多孔質体等のセラミック多孔質体も従来方法で作成することが出来る。ガラス多孔質体は、これに限定されないが、例えば、けい砂、硼酸、ソーダ灰及びアルミナを混合し、１２００〜１４００℃に溶融することで、ガラスの塊りが作られる。組成がＮａ２Ｏ−Ｂ２Ｏ３−ＳｉＯ２−ＣａＯになりガラスの多孔質体となる。これを８００〜１１００℃にて成形後、未分相ガラスを得、熱処理によりＳｉＯ２相とＢ２Ｏ３−Ｎａ２Ｏ−ＣａＯ相に分相させ、酸処理によって、ＳｉＯ２骨格を残したガラス多孔質体を製造する。
【００６６】
セラミック多孔質体は、これに限定されないが、例えば、けい砂、硼酸、ソーダ灰及びＡｌ２Ｏ３、ＺｒＯ２、ＺｎＯ２、ＴｉＯ２、ＳｎＯ２、ＭｇＯ２等種々の金属酸化物を混合し、１２００〜１４００℃に溶融することで、組成が金属酸化物−Ｎａ２Ｏ−Ｂ２Ｏ３−ＳｉＯ２−ＣａＯ等のセラミック多孔質体を製造することが出来る。
【００６７】
ガラス多孔質体やセラミック多孔質体は、組成や分相化条件でスルーポアの径をコントロールすることが出来、スルーポアと同時にメソポアも形成することが出来る。ガラス多孔質体及びセラミック多孔質体は、モノリス多孔質体と同様な理由から、スルーポアの径が１μｍ〜１００μｍ、メソポアの径が０．００１μｍ〜０．０５μｍが適している。
【００６８】
これらの分相法で作成したガラス多孔質体及びセラミック多孔質体は、モノリス多孔質体と異なり、耐アルカリ性が強い、そのため、１Ｎ水酸化ナトリウム水溶液による８０℃６時間の加熱攪拌等によって、シラノールを形成出来る。この処理によって、アセトアルデヒドを保持出来るようになると共に水分を保持出来るようになる。即ち、ゾルーゲル法を用いたモノリス多孔質体では、骨格内に焼成温度の調整により作成されたシラノール、ガラス多孔質体及びセラミック多孔質体では、アルカリ処理等の表面処理がされて表面に形成された表面シラノールが、アセトアルデヒドの吸着及び水分保持の作用を奏している。
【００６９】
尚、モノリス多孔質体、ガラス多孔質体及びセラミック多孔質体の表面には、底面、側面、及び上面を含む外表面及びスルーポア及びメソポアの表面を含む内表面が含まれる。
【００７０】
更に、モノリス多孔質体、ガラス多孔質体及びセラミック多孔質体に、即ち保持体に、ジオール基、シアノ基、アミノ基、アミド基等の親水性基をシラノールに結合させて導入する化学処理を施すことで、水の保持力を調整、向上させることも出来る。
【００７１】
又、従来から知られているコーティング剤及び／又は化学的修飾剤を適用して、保持体に親水基を導入し、保持体の水の保持力を調整、向上させることも出来る。コーティング剤としては、これに限定されないが、例えばポリエチレングリコール、エポキシ変性シリコンオイル等が挙げられ、保持体の表面と化学反応させ及び／又はコーティング剤同士で化学反応させることで親水基を導入することが出来る。又、化学的修飾剤としては、これに限定されないが、例えばグリキシドプロピルトリメトキシシラン、グリキシドプロピルメチルジメトキシシラン、グリキシドプロピルトリエトキシシラン等のエポキシシラン、メタクリロキシプロピルトリメトキシシラン、メタクリロキシプロピルメチルジメトキシシラン、メタクリロキシプロピルトリエトキシシラン等のメタクリルシラン、アミノプロピルトリメトキシシラン、アミノプロピルトリエトキシシラン等アミノシラン、メルカプトシラン等の親水基を形成出来る各種シラン処理剤が挙げられる。上記の保持体に親水基を導入するための反応方法としては、トルエン等の溶液中での溶液還流反応、超臨界での反応、亜臨界での反応、気体状態での既存の反応等を使用することが出来る。
【００７２】
このようにして、保持体の骨格間に存在するスルーポア及びメソポア空間に留められた水、骨格内のシラノールによる吸水作用、大気との接触面となる骨格表面のシラノール又は／及び表面改質した反応基によって、保持体の水の保持力を調整、向上させることが出来る。
【００７３】
このようにして構成された保水基材でもある保持体に酵素反応溶液及び発色反応溶液を、添加吸収、通液、ディッピング又はコーティング等により付加して、保持体の表面に酵素及び発色反応剤を保持させてアセトアルデヒドセンサーを構成する。
【００７４】
酵素反応溶液は、酵素、補酵素を緩衝塩に溶解させた溶液で、アセトアルデヒドを濃度に応じて検出することが出来る化合物を生成することが出来れば、特に限定されない。例えば、アセトアルデヒド脱水素酵素（ＡＬＤＨ）、その補酵素（ＮＡＤ）等をバッファーに溶解した溶液等で構成することが出来る。
【００７５】
発色反応溶液は、酵素反応で生じた生成物によって、二次の発色反応を生じさせる触媒及び発色物質をバッファーに溶解した溶液等で構成することが出来る。例えば、ジホラーゼを用いて触媒反応によりテトラゾリウム塩を還元し、ホルマザン色素を形成して発色させるが、この構成に限定されず、アセトアルデヒド濃度に応じた発色定量が可能であれば触媒及び発色物質は限定されない。
【００７６】
尚、予め酵素反応溶液と発色反応溶液を混合した混合反応溶液、酵素及び発色反応物質を混合した混合反応溶液を用いることとしてもよい。
【００７７】
発色反応に用いるテトラゾリウム塩の具体的な例としては特に限定されないが、ＩＮＴ（２−（４−Ｉｏｄｏｐｈｅｎｙｌ）−３−（４−ｎｉｔｒｏｐｈｅｎｙｌ）−５−ｐｈｎｅｙｌ−２Ｈ−ｔｅｔｒａｚｏｌｉｕｍ  ｃｈｌｏｒｉｄｅ）、ＭＴＴ（３−（４，５−ｄｉｍｅｔｈｙｌ−２−ｔｈｉａｚｏｌｙｌ）−２，５−ｄｉｐｈｅｎｙｌ−２Ｈ−ｔｅｔｒａｚｏｌｉｕｍ  ｂｒｏｍｉｄｅ）、ＸＴＴ（２，３−ｂｉｓ−（２−ｍｅｔｈｏｘｙ−４−ｎｉｔｒｏ−５−ｓｕｌｆｏｐｈｅｎｙｌ）−２Ｈ−ｔｅｔｒａｚｏｌｉｕｍ−５−ｃａｒｂｏｘａｎｉｌｉｄｅ）等が挙げられる。
【００７８】
テトラゾリウム塩の還元によるホルマザン色素を形成する反応を安定させて再現性を向上させるために、多孔質の保持体の内部空間体積（孔内体積）より過剰量の酵素反応溶液を保持体の孔内に供給することが好ましい。そして、過剰の酵素反応溶液は保持体から取り除くことが好ましい。酵素反応溶液を保持体から取り除く際には、例えば吸水性の部材を用いることが好ましい。又、ジアホラーゼとテトラゾリウム塩の発色反応溶液を多孔質の保持体に予め製造時に付加してもよいが、発色反応溶液をセンサーの使用直前に保持体に付加することとしてもよい。更に、多孔質の保持体に付加する発色反応溶液は、センサー面、即ち多孔質の保持体の上面に均一に付加することが好ましい。
【００７９】
保持体に付加された酵素反応溶液及び発色反応溶液は、保持体の孔内に供給され、スルーポア及びメソポア空間に保持される。酵素反応溶液及び発色反応溶液は、保持体の上面から供給して下面から過剰分を排出することで、保持体、即ちアセトアルデヒドセンサーの上面及び上部のスルーポア内に酵素及び発色反応物質が濃縮されて保持され、水は主にその下方のスルーポア及びメソポア内に保持されている。このような構成により、保持体の上面を含む外表面及びスルーポアの上端部に水が存在せず、大気中のアセトアルデヒドは水に接触する前に酵素と接触し、広い面積でアセトアルデヒドを捕集することが出来、そして、主にセンサーの上面部分を着色させることが可能となり、アセトアルデヒドセンサーを目視して着色具合の確認をすることが容易となる。
【００８０】
そして、図２に示すように、高さが低い円柱状のアセトアルデヒドセンサー１０を収納する上部開口の凹部１２を備えたホルダー１１、詳しくはその凹部１２にアセトアルデヒドセンサー１０を組み込み、アセトアルデヒドを捕集、定量するパッシブ型アセトアルデヒドセンサー（以下単に「パッシブ型センサー」という。）１を構成する。ホルダー１１は図示のプレート状に限定されず、柱状等としてもよい。ホルダー１１の凹部１２にアセトアルデヒドセンサー１０を組み込む方法は、物理的な嵌め込み、溶着、パッキング止め等で、運搬や測定時に外れなければ特に限定されない。又、測定時には、パッシブ型センサー１を測定場所や測定部分に載置又は貼付等により設置して使用する。尚、図２〜５において、アセトアルデヒドセンサー１０とホルダー１１は見やすいように離間して図示しているが、アセトアルデヒドセンサー１０をホルダー１１に固定出来れば、一部が離間した構成でもよい。
【００８１】
パッシブ型センサー１にはホルダー１１の凹部１２等の内部空間を覆い、密閉する着脱自在の蓋１３を設けてもよい。蓋１３により、アセトアルデヒドセンサー１０は測定する前までは大気に暴露されず、或いは蓋１３を外して大気に暴露して着色した後に再度蓋１３を装着することにより大気との接触を止めて着色の進行を止めることが出来るので、アセトアルデヒドセンサー１０をシールする蓋１３を設け、パッシブ型センサー１にガスバリア性を備えさせることが好ましい。そして、保管時には、蓋１３によりホルダー１１の内部空間を密閉出来、大気及びアセトアルデヒドと反応することなく、測定時には、蓋１３を開け、一定時間放置することで、パッシブ法にて大気中の微量アセトアルデヒドと反応して測定することが出来る。ホルダー１１と蓋１３はねじを設けて螺合可能に構成してもよいが、ホルダー１１及び蓋１３の弾性を利用して嵌め込み可能に構成し、或いはホルダー１１の外側面又は／及び蓋１３の内側面にローレットを形成して嵌め合い可能に構成してもよい。
【００８２】
パッシブ型センサー１は、大気中のアセトアルデヒド濃度に応じて、アセトアルデヒドセンサー１０において酵素反応が進み、アセトアルデヒドセンサー１０が発色して発色量が変化する。この発色量を目視又は光センサーにて検出し、大気中アセトアルデヒド濃度を測定する。大気中の微量アセトアルデヒドの定量は、発色したアセトアルデヒドセンサー１０の色を比色定紙と比べて目視で行なうのが簡便であるが、発色具合を直接色センサー等で数値化して定量してもよい。
【００８３】
アセトアルデヒドセンサー１０は、酵素反応溶液及び発色反応溶液を予め保持体に付加しておいて形成してもよいが、本発明の保持体は水となじむので、測定直前に酵素反応溶液及び発色反応溶液を保持体に添加して形成することとしてもよい。又、酵素反応溶液を予め保持体に付加し測定直前に発色反応溶液を保持体に添加して形成することとしてもよい。尚、測定直前に反応溶液を保持体に添加して構成した場合も予め添加して形成した場合と構成、作用は同じであり、大気と接触する保持体の表面は、アセトアルデヒドの保持を促進する活性シラノールが存在し、保持体の内部表面には、水の保持を促進する活性シラノールや親水基が存在し、反応に必要な水分を保持体の内部に含む構成となる。
【００８４】
保持体に酵素反応溶液及び発色反応溶液を添加させてアセトアルデヒドセンサーを製造する方法として、ＮＡＤ＋ を含むアセトアルデヒド脱水素酵素溶液（酵素反応溶液）とジアホラーゼとテトラゾリウム塩の発色反応液（発色反応溶液）を２段階に分けて添加させる場合の一具体的工程について説明する。
【００８５】
先ず、ＡＬＤＨ１．５Ｕ、ＮＡＤ４８μｇを、０．３Ｍリン酸バッファーｐＨ７１ｍＬに溶解し、アセトアルデヒド脱水素酵素溶液（酵素反応溶液）とする。ＩＮＴ６７６μｇ、ジアホラーゼ０．９ｍｇ（１２２Ｕに相当）を０．３Ｍリン酸バッファーｐＨ７１ｍＬに溶解し、発色反応溶液とする。予め、保持体１個に対して、２０μＬ水で飽和させ、酵素反応溶液３０μＬ、発色反応溶液１０μＬを順次滴下により添加させる。このように酵素反応溶液と発色反応液の滴下を別の時にすることで、酵素反応溶液と発色反応溶液の混合保管による反応溶液の着色を抑えることが出来る。酵素反応溶液及び発色反応液は、アセトアルデヒドセンサーの大気との主な接触面となる保持体の上面から供給して下面から過剰分を排出させて、保持体の上面及び上部のスルーポア及びメソポア内に酵素及び発色反応物質を濃縮させて保持させることが好ましい。
【００８６】
又、他の具体的工程として、保持体１００個に対して、酵素反応溶液１ｍＬを滴下により添加し、減圧脱気し、余った酵素反応溶液を廃棄する。酵素反応試薬及び水分を含んだ酵素反応試薬を含有する保持体を一度に多数を得ることが出来る。測定直前に発色反応溶液を滴下し、センサーにすることで、保管期間を延ばすことも出来る。酵素反応溶液を保持体に付与する方法は特に限定されない。一方、発色反応溶液を保持体に付与する方法は、センサーを目視して着色具合の確認をするために、センサーの上面部分を着色させることが好ましいので、発色反応溶液は、滴下や減圧や遠心等で上方から流す方法で付与することが推奨される。
【００８７】
測定直前に発色反応溶液又は、酵素反応溶液及び発色反応溶液を保持体に添加する場合には、ホルダー１１から保持体を取り外して、保持体に反応溶液を添加することとしてもよいが、保持体をホルダー１１に保持させたままで反応溶液を添加することとしてもよい。この場合には、図３に示すように、ホルダー１１には、保持体即ちアセトアルデヒドセンサー１０から排出された余分な反応溶液を貯留するための液溜め空間２０が保持体に隣接して設けられていることが好ましい。液溜め空間２０は、アセトアルデヒドセンサーの大きさ、酵素反応溶液や発色反応溶液の量によって異なり、その大きさや形状は特に限定されない。液溜め空間２０は凹部１２をアセトアルデヒドセンサー１０の厚みより深く構成して凹部１２の下方部分で構成し（図３（ａ））、或いは凹部１２から横方向に広がる空間により構成することが出来る（図３（ｂ））。
【００８８】
又、図４に示すように、パッシブ型センサー１は、ホルダー１１の凹部１２内の保持体又はアセトアルデヒドセンサー１０の下方の液溜め空間２０内に、乾燥した吸水体２２を設けて構成することとしてもよい。この場合には、アセトアルデヒドセンサー１０に吸水体２２から水分が逆流しないように、吸水体２２の吸水量の調整や添加する反応溶液量を調整する。
【００８９】
ホルダー１１及び蓋１３の材質は、アセトアルデヒドの発生や吸着が無ければ特に限定されないが、通常パッシブ型センサー１を保管する２℃から測定雰囲気となる６０℃まで使用出来ることが好ましく、例えば、ガラス、金属、合成樹脂等の材質を用いることが出来る。又、加工の容易性、剛性、重量及び扱いやすさから、具体的には壁等の垂直面に両面テープ等での貼付け設置を考えると軽い方が良く、ポリエチレンやポリプロピレン等の合成樹脂が好ましいが、これに限定されない。
【００９０】
ホルダー１１や蓋１３の形状は、パッシブ型センサー１の保管時に、反応溶液の漏れが無くシール出来、測定時、即ち蓋１３を外した時にアセトアルデヒドセンサー１０が大気と接触し、一定時間測定後に、着色量が目視で確認出来れば、特に限定されない。
【００９１】
保持体又はアセトアルデヒドセンサー１０の形状は、測定直前に保持体又はアセトアルデヒドセンサー１０に反応溶液を添加する場合があること、保持体の製造の容易性及び保持体又はアセトアルデヒドセンサー１０に反応溶液を均一に添加することが望まれることを考慮すると、円柱形が好ましい。
【００９２】
保持体又はアセトアルデヒドセンサー１０の大きさは特に限定されないが、作成時の反応溶液の添加の容易性及び着色の目視確認の容易性及び確実性を考慮すると、上面が直径２ｍｍ〜６ｍｍの円形の円柱形状が好ましい。
【００９３】
パッシブ型センサー１、ホルダー１１の大きさは特に限定されないが、実際にパッシブ型センサー１を用いる場合には、保管、輸送、測定時の設置に関しても考慮する必要がある。数箇所の場所に設置して測定し、どのような場所にでも簡単に設置出来ることを考慮すると、ホルダー１１は外形が直径３ｃｍ〜８ｃｍ程度又は３〜８ｃｍ四方程度の大きさで、高さ１ｃｍ〜４ｃｍぐらいの柱形状が好ましい。
【００９４】
図５に、ホルダーにはめ込んだアセトアルデヒドセンサー１０の発色時（図５（ａ））とブランク（図５（ｂ））の写真を示す。
【実施例１】
【００９５】
モノリス多孔質体の製造時の焼成温度の変化、モノリス多孔質体へのジオール結合、セラミック多孔質体による、保持体に保持される水分量の経時変化を測定した。
１０μｌ酢酸を添加した７％ポリエチレングリコール水溶液２０ｍＬに、テトラメトキシシラン１０ｍｌを、攪拌混合後、内径６ｍｍのポリカーボネート管に入れ両端をシールし、４０℃でゲル化した。０．１Ｍアンモニア水溶液で置換し、１６時間熟成しエタノールで置換乾燥後に、３００℃、４００℃、５５０℃、６５０℃、８００℃、１０００℃で８時間焼成し、外径３ｍｍ〜５．５ｍｍの６種のモノリス多孔質体を得た。厚さ１ｍｍに切断し保持体を得た。
【００９６】
又、上記のように製造し、５５０℃で焼成したモノリス多孔質体１００個を、１０％グリキシドプロピルトリメトキシシランデカン溶液５０ｍＬ中で、１３０℃で１０時間加熱攪拌を行ない、メタノールで洗浄した。次いで５０ｍＬイオン交換水中で、６時間加熱還流を行ない、アセトンで洗浄後、８０℃で１０時間以上減圧乾燥し、ジオール結合モノリス多孔質体を得た。
【００９７】
セラミック多孔質体は、ＳｉＯ２：５９．０質量％、Ｂ２Ｏ３：２５．０質量％、ＺｒＯ２：５．０質量％、Ａｌ２Ｏ３：３．０質量％、ＣａＯ：３．０質量％、Ｎａ２Ｏ：５．０質量％を溶融し、５４０℃で直径約４ｍｍのロッドに引き加工し、次いで７５０℃にて約３２時間処理して分相させた。相分離物を９０℃にて１Ｎ硫酸（酸（ｍｌ）／ガラス（ｇ）の比＝１７０）を用いて２日間酸処理し、その後、０．５Ｎ−ＮａＯＨ（酸（ｍｌ）／ガラス（ｇ）の比＝１７０）を用いて６時間アルカリ処理して、セラミック多孔質体とした。ダイヤモンドカッターで厚み１ｍｍに切断し円板状のセラミック多孔質体を得た。
【００９８】
０．３Ｍリン酸バッファーｐＨ７を用いて、アセトアルデヒド脱水素酵素（アセトアルデヒドデヒドロゲナーゼ、ＡＬＤＨ）１Ｕ、ＩＮＴ（２−（４−ｉｎｄｏｐｈｅｎｙｌ）−３−（４−ｎｉｔｒｏｐｈｅｎｙｌ）−５−ｐｈｅｎｙｌｔｅｔｒａｚｏｌｉｕｍ  ｃｈｌｏｒｉｄｅ）０．１ｍｇ／ｍＬ、ＮＡＤ（ニコチンアミドアデニンジヌクレオチド）０．８ｍｇ／３ｍＬの酵素及び発色反応物質が混合された混合反応溶液を作成し、上記８種の保持体に過剰に該混合反応溶液５０μＬずつを添加し、余分な混合反応溶液はふき取り、室温放置時間に対しての水の重量変化をプロットした。結果を図６に示す。
【００９９】
３００℃、４００℃、５５０℃で焼成したモノリス多孔質体、ジオール結合モノリス多孔質体（図中「Ｄｉｏｌ」）、セラミック多孔質体（図中「セラミック」）においては、３０分放置後でも１０ｍｇ以上の水分を保持していた。６５０℃で焼成したモノリス多孔質体は、最初は１０ｍｇの水分を保持出来たが、３０分放置後では、５ｍｇ未満になった。８００℃で焼成したモノリス多孔質体は、混合反応溶液と馴染んだが保持出来る水分量は最初から少なく、さらに放置により減ってしまい２５分後には５ｍｇ未満となった。１０００℃で焼成したモノリス多孔質体は最初から混合反応溶液を弾いてしまい、殆ど水分を保持出来なかった。
【０１００】
上述のように、保持体は、体積基準保水率８０％以上を、発色反応を確認することが出来るまでの１０分以上維持することが出来る多孔質体であることが要求される。そこで、厚さ１ｍｍの上記の多孔質体の構成、物性値と保水率の変化、水分保持力の結果を表１に示す。
【０１０１】
【表１】
2018087776.tif 000003
【０１０２】
混合反応溶液を吸収することが出来、１０分後でも保水率８０％以上の多孔質体は、３００℃以上、５５０℃以下で焼成したモノリス多孔質体、化学処理したジオール結合モノリス多孔質体、分相法で作成し、アルカリ処理を行なったセラミック多孔質体であり、アセトアルデヒドを検知するためには、５５０℃以下で焼成したゾルーゲル法で作成したメソポアを有するモノリス多孔質体、それに化学処理を施した多孔質体、分相ガラス法から作成してアルカリ処理を施したメソポアを有するセラミック多孔質体が適していることが実証された。
【実施例２】
【０１０３】
実施例１の５５０℃で焼成したモノリス多孔質体で構成した保持体においての発色反応のために必要な放置時間、混合反応溶液の添加必要量を検討した。具体的には、保持体は、１個当たり重さ：４．０〜４．５ｍｇ、厚さ：１ｍｍ、直径：４．１ｍｍであり、そこに混合反応溶液を添加しアセトアルデヒドセンサーを作成し、アセトアルデヒド３０ｐｐｂを含む空気中での暴露試験を行なった。混合反応溶液は、ＩＮＴ：１６８μｇ、ＡＬＤＨ：１．１Ｕ、ジアホラーゼ：３０Ｕ、ＮＡＤ：３６μｇを、０．３Ｍリン酸バッファーｐＨ７：１ｍＬに溶解し、混合反応溶液とした。そして、保持体を吸収パットの上に載せ、混合反応溶液量を、各々１０μＬ、５０μＬ、１００μＬを保持体の上面から添加吸収させ、アセトアルデヒドセンサーを作成した。尚、余分な混合反応溶液は、保持体を通り下面から吸収パットに吸収させた。このようにして作成したアセトアルデヒドセンサーを用いて、アセトアルデヒド３０ｐｐｂ暴露及びアセトアルデヒドを含まない空気中でのブランクにおいての１０分後と３０分後の発色具合を検査した。尚、ブランクも酵素の変色により発色をする。
【０１０４】
図７に示すように、混合反応溶液の１０μＬ以上の添加においては、アセトアルデヒドに対して発色して、酵素の変色により発色するブランクとの差を目視で確認出来ることが明らかになった。即ち、保持体の場合では、１０ｍｇ以上の水分を保持出来れば、酵素反応が進み発色することが明らかとなった。又、発色時間としては、１０分から差がはっきりしてきて、２０分以上で安定になるので、２０分後、より望ましくは３０分後に発色具合を見るのが良い。
【０１０５】
又、１０μＬ添加でも、発色を十分目視で確認出来るが、この実施例の４ｍｍ径の場合では、周り未発色部分が観測され、液添加のバラツキを考慮すると５０μＬ〜１００μＬ添加の方が好ましい。
【０１０６】
図７の発色後にアセトアルデヒドセンサーを側面方向から見た写真が、図８である。混合反応溶液を保持体に付与した上流側である上部分に反応試薬が濃縮され上部分で反応して発色していることが確認出来る。大気中アセトアルデヒドと接触する上面は水分が少ないのでパッシブ法でも十分反応し、発色反応に必要な水分は、保持体自体に形成されているスルーポア及びメソポアの内部空間に保持されている水分が利用されていることが判る。又、混合反応溶液が１００μＬでも、５０μＬと同様にアセトアルデヒドセンサーの上面を含む上部分で発色しているので、混合反応溶液量としては１０μＬの１０倍量でも良いことが判る。そして、混合反応溶液の最適添加量は、アセトアルデヒドセンサーの直径によって異なるが、目安としては、水分量から考慮して保持体重量の２倍容量以上が望ましい。
【実施例３】
【０１０７】
実施例１の５５０℃で焼成したモノリス多孔質体で構成した保持体を用いたアセトアルデヒドセンサー１個に対し、反応試薬量をＩＮＴ：０．６８〜３３．７８μｇ、ＡＬＤＨ：０．０３〜０．２３Ｕ、ジアホラーゼ：０．８４〜６．０８Ｕ、ＮＡＤ：０．１〜７．２１μｇで作成した混合反応溶液を用い、混合反応溶液の添加量を５０μＬ〜２００μＬに変化させた。
【０１０８】
その結果、３０ｐｐｂアセトアルデヒド暴露試験において、発色の強弱があったが、発色し検出は可能であった。又、ＩＮＴ量が１６μｇ以上では、ブランク時における着色が強くなる傾向があり、０．７４μｇ以下では、発色が弱くなる傾向があった。又、ＮＡＤ量を増やす程、発色開始時間が早くなり、着色強度が強くなるが、ブランクでの発色も強くなる傾向があった。更に、ＡＬＤＨの酵素量としては、０．０５Ｕ〜０．１９Ｕまで大きな変化もなく、表面で濃縮がされていることの証明にもなった。
【０１０９】
広範囲のアセトアルデヒドの濃度において、アセトアルデヒドの検知は可能であるが、ブランク着色、試薬量の節約、反応試薬添加の取り扱い易さを考慮して、５０μＬ添加で、ＩＮＴ：８．４５μｇ、ＡＬＤＨ：０．０６Ｕ、ジアホラーゼ：１．５２Ｕ、ＮＡＤ：１．８μｇにおいて、１０ｐｐｂ、５０ｐｐｂ、１００ｐｐｂ、５００ｐｐｂアセトアルデヒド雰囲気での暴露試験を行なった。図９に示すように、アセトアルデヒドを発色によって、１０分以後ならば  濃度の違いを目視検知出来、十分な性能を得ることが出来た。
【実施例４】
【０１１０】
１Ｌのガラス製ガス捕集瓶内でアセトアルデヒドを揮発させ、アセトアルデヒドの濃度を基準値の４８μｇ／ｍ３、基準値の４倍、基準値の１０倍となるように作成した。そこに実施例１の５５０℃で焼成したモノリス多孔質体で構成した保持体に、ＩＮＴ：８．４５μｇ、ＡＬＤＨ：０．０６Ｕ、ジアホラーゼ：１．５２Ｕ、ＮＡＤ：１．８μｇを含有する混合反応溶液を５０μＬ添加して、実施例３と同様に作成したアセトアルデヒドセンサーを３０分間暴露させ、アセトアルデヒドを定量した。
【０１１１】
その結果、図１０に示すように、アセトアルデヒドの濃度に応じて、発色が異なり、比色定紙と比較することで、指針濃度でも簡便に定量することが出来た。
【実施例５】
【０１１２】
実際の分析においては、アセトアルデヒドとホルムアルデヒドが共存することが考えられるので、ホルムアルデヒドの影響も検査した。５００μｇ／ｍ３ホルムアルデヒドに調整した１Ｌガラス製ガス捕集瓶に実施例４と同様に作成したアセトアルデヒドセンサーを３０分暴露した。その結果、図１１に示すように、ホルムアルデヒドにおいては発色せず、アセトアルデヒドの検知の妨害はしないことが実証出来た。図中、５００μｇ／ｍ３ホルムアルデヒドに暴露したアセトアルデヒドセンサーをＢ、比較例としての暴露していないアセトアルデヒドセンサーをＡで示す。
【０１１３】
更に、上記で作成したホルムアルデヒド５００μｇ／ｍ３気体に、アセトアルデヒド基準値４８μｇ／ｍ３になるようにアセトアルデヒドを添加した。そこに、実施例４と同様に作成したアセトアルデヒドセンサーを３０分暴露させ、アセトアルデヒドを定量した。
【０１１４】
その結果、図１１に示すように、着色し、比色定紙と比較したところ、上記基準値レベルと同等の着色を示した。図中、５００μｇ／ｍ３ホルムアルデヒド及び４８μｇ／ｍ３アセトアルデヒドに暴露したアセトアルデヒドセンサーをＣで示す。又、同様に１０００μｇ／ｍ３の酢酸影響も検査したが同様の結果となった。本発明アセトアルデヒドセンサーは、ホルムアルデヒドや酢酸の影響を受けず、微量のアセトアルデヒド基準値を定量出来ることが実証された。
【実施例６】
【０１１５】
ポリプロピレン製のホルダー１１及び蓋１３を、図１２に示すように、ホルダー１１及び蓋１３が嵌め込み可能にパッシブ型センサー１を作成した。
【０１１６】
製品としては、保管、輸送後の状態も良好である必要がある。そこで、酵素反応溶液を付与した保持体を２℃の冷蔵庫に保管し、室温２５℃に戻した後、発色反応溶液を添加してアセトアルデヒドセンサーを作成した。このように作成したアセトアルデヒドセンサーをアセトアルデヒド基準値４８μｇ／ｍ３にガラス製ガス捕集瓶内で暴露させ、保管時の経時による劣化を比色定紙と比較して調べた。酵素反応溶液自身の経時変化を確認するために、酵素反応溶液だけを予め付与して冷蔵保存させた保持体に、発色反応溶液のみ測定直前に添加してアセトアルデヒドセンサーを作成し、暴露させ着色により検査した。
【０１１７】
より具体的には、実施例１で作成した５５０℃焼成モノリス多孔質体にＡＬＤＨ：１．５Ｕ、ＮＡＤ：６１μｇを、イオン交換水１ｍＬに溶解した酵素反応溶液３０μＬのみ付与した保持体を２℃の冷蔵庫に５日間保管した後、室温２５℃に戻し、ＩＮＴ：２５０μｇ、ジアホラーゼ：１３８μｇ（１２２Ｕに相当）を、イオン交換水１ｍＬに溶解した発色反応溶液２０μＬを添加してアセトアルデヒドセンサーとし、ホルダーに設置し、パッシブ型センサーを作成した。
【０１１８】
結果を図１３に示す。図１３（ａ）が、値付けした比色定紙になり、６が基準値のレベルとなる。図１３（ｂ）は、酵素反応溶液を付与した保持体作成後５日後に、発色反応溶液を添加し、ホルダーに設置したセンサーの４８μｇ／ｍ３アセトアルデヒドへの３０分間の暴露例であり、右端はブランクである。酵素反応溶液を付与した保持体を５日間保管した後に使用しても、アセトアルデヒドセンサーの劣化は認められず、アセトアルデヒドを基準値で定量可能であることが確認出来た。
【実施例７】
【０１１９】
実施例４と同様に作成したアセトアルデヒドセンサーを用いて、暴露直前に混合反応溶液を保持体に付加して作成したアセトアルデヒドセンサー、混合反応溶液を保持体に付加して作成した直後にパラフィルムで1個ずつシールしたアセトアルデヒドセンサー、混合反応溶液を保持体に付加して作成した直後にホルダーに埋め込んだアセトアルデヒドセンサーで、作成直後に蓋をし、保管時に蓋があるもの（蓋付パッシブ型センサー）、同様にホルダーに埋め込んだアセトアルデヒドセンサーで保管時蓋なしのもの（蓋なしパッシブ型センサー）４種について２℃での保管日数に対して、着色レベルをプロットした。
【０１２０】
結果を図１４に示す。アセトアルデヒドセンサーのみをパラフィルムで包んだ物は、そのシール性にバラツキがあり、着色も一定にならなかった。蓋が無いパッシブ型センサーのアセトアルデヒドセンサーは、１０日程度で劣化してしまい着色しなくなった。ホルダーに埋め込み、蓋をして保管した蓋付パッシブ型センサーのアセトアルデヒドセンサーは、バラツキも無く３０日保管までは、強度６の着色があり、基準値を定量出来ることが証明された。強度は低くなるが、５０日程度までは検出は可能であった。本発明アセトアルデヒドセンサー、パッシブ型センサーは、冷蔵保管により３０日までは４８μｇ／ｍ３アセトアルデヒドの定量が可能で、５０日程度までは検知可能であった。
【実施例８】
【０１２１】
また、実施例１で作成した５５０℃焼成モノリス多孔質体にＡＬＤＨ：１．５Ｕ、ＮＡＤ：６１μｇを、イオン交換水１ｍＬに溶解した酵素反応溶液３０μＬのみ付与した保持体を図３（ａ）のホルダー１１に設置して、冷蔵保存した。測定直前に、ＩＮＴ：２５０μｇ、ジアホラーゼ：１３８μｇ（１２２Ｕに相当）を、イオン交換水１ｍＬに溶解した発色反応溶液２０μＬを添加した。その結果、３０日〜５０日でも強度６の着色があり、まったく劣化せず、長期間アセトアルデヒド基準値の定量が行なうことが出来た。
【実施例９】
【０１２２】
酵素反応溶液又は／及び発色反応溶液或いは混合反応溶液を付与した後に、アセトアルデヒドセンサー１０をホルダー１１にセットする手間、工程を省くために、アセトアルデヒドセンサー１０から排出された余分な反応溶液を貯留する液溜め空間２０を凹部１２の下方のみに設け（図１５（ａ））、或いは更に横方向に拡張して設けた（図１５（ｂ））ホルダー１１を用いてアセトアルデヒドの簡易検知を実施した。
【０１２３】
実施例１の５５０℃で焼成したモノリス多孔質体で構成した保持体を、液溜め空間を設けたホルダーの凹部に嵌め込みにより設置し、アセトアルデヒドへの暴露直前に酵素反応溶液及び発色反応溶液を添加して作成したパッシブ型センサーを用いた。
【０１２４】
ＡＬＤＨ：１．５Ｕ、ＮＡＤ：６１μｇを、イオン交換水１ｍＬに溶解し、酵素反応溶液とした。ＩＮＴ：２５０μｇ、ジアホラーゼ：１３８μｇ（１２２Ｕに相当）を、イオン交換水１ｍＬに溶解し、発色反応溶液とした。それらの溶液を、３ヶ月間冷蔵保存した。実施例１の５５０℃で焼成したモノリス多孔質体の保持体が設置されているホルダーに、イオン交換水２０μＬ、酵素反応溶液３０μＬ、発色反応溶液１０μＬを滴下した。酵素反応溶液及び発色反応溶液はすべて保持体内に吸収し余分な反応溶液は、液溜め空間に廃棄された。アセトアルデヒドセンサーの表面は乾いた状態であった。
【０１２５】
３０μｇ／ｍ３又は１５０μｇ／ｍ３のアセトアルデヒドを含んだ空気に、アセトアルデヒドセンサーを３０分暴露させたところ、図１６に示すように、比色定紙で定量出来る着色になり、使用直前に酵素反応溶液及び発色反応溶液を付与して構成したアセトアルデヒドセンサーを用いても大気中の微量アセトアルデヒドの簡易検知が出来ること、更に、液溜め空間２０を設けて余分な反応溶液を液溜め空間に廃棄するホルダーの使用でも大気中の微量アセトアルデヒドの簡易検知が出来ることが実証された。
【産業上の利用可能性】
【０１２６】
本発明は大気中の有害物質であるアセトアルデヒドを簡易的に定量することが出来るので、環境汚染の調査に関連する産業において極めて有用に利用することが出来る。
【符号の説明】
【０１２７】
１    パッシブ型アセトアルデヒドセンサー
２０  液溜め空間
１０  アセトアルデヒドセンサー
１１  ホルダー
１２  凹部
１３ 蓋
【図１】
2018087776.tif 000004
【図２】
2018087776.tif 000005
【図３】
2018087776.tif 000006
【図４】
2018087776.tif 000007
【図５】
2018087776.tif 000008
【図６】
2018087776.tif 000009
【図７】
2018087776.tif 000010
【図８】
2018087776.tif 000011
【図９】
2018087776.tif 000012
【図１０】
2018087776.tif 000013
【図１１】
2018087776.tif 000014
【図１２】
2018087776.tif 000015
【図１３】
2018087776.tif 000016
【図１４】
2018087776.tif 000017
【図１５】
2018087776.tif 000018
【図１６】
2018087776.tif 000019
【図１７】
2018087776.tif 000020
【図１８】
2018087776.tif 000021